(57)【要約】【課題】簡単に着用でき、軽量かつ脛部にフィットして装着感がよく、鋭利な草刈刃が激突しても着用者の脛部を護ることができる切創等防止用脚絆を提供すること。【解決手段】布帛などの可撓性材料によりサイズ調節可能に形成されて着用者の脛部を覆うように使用される従来の脚絆において、袋状に形成された脚絆本体１に２枚以上の金属板５を並列状態で内装した。この金属板５は、着用者の脛部形状に沿うように湾曲形成するのが望ましく、場合によってヒンジを介して左右方向に屈曲可能に連結するとよい。【選択図】      図１
2004162200.tif 000002
【特許請求の範囲】
【請求項１】
可撓性材料によりサイズ調節可能に形成されて着用者の脛部を覆うように使用される脚絆であって、袋状に形成された脚絆本体内部には２枚以上の金属板が並列状態で内装されてなる安全脚絆。
【請求項２】
金属板が、脛部に沿うように横断面において湾曲形成されたものである請求項１記載の安全脚絆。
【請求項３】
金属板が、ヒンジを介して左右方向に屈曲可能に連結されたものである請求項１又は２いずれか記載の安全脚絆。
【請求項４】
金属板が、全周縁を弾性材料により被覆されたものである請求項１ないし請求項３いずれか記載の安全脚絆。
【発明の詳細な説明】
【０００１】
【発明の属する技術分野】
本発明は、主として山林・農地等における草刈り作業時の動力草刈機の刃などによる切創事故防止を図った安全脚絆に関する。
【０００２】
【従来の技術】
山林等の草刈り作業においては、小型のエンジンを搭載した動力草刈機が用いられるのが一般的であるが、高速回転する円盤状の草刈り刃は刃先が非常に鋭利であるし、草刈り作業は足場のわるい場所での不安定な作業が多いため、作業者が自らの足等を傷つけてしまう事故が後を絶たない。事故による切創箇所の多くは僅かにズボンや長靴で覆われているにすぎない無防備な向こう脛部分であることから、従来より脛部に当接使用する防護具が安全脚絆として提供されていた。
【０００３】
例えば、実開昭５９−６１２２０号では、多数の鎖を縫い込んだ脚絆本体の脚前側、内側、外側に対して鋼線を差し込み可能に形成した切創、打撲防止用脚絆が提案されている。差し込んだ鋼線は脚絆、ひいては脛部の保護の役目を果たすのみならず、従来のハゼ紐の代用として機能させることが目的とされている。
【０００４】
また、実開平６−７９４１４号では、足の甲と脛を保護するべく、靴の上から履いてつま先から甲部を覆うカバー本体と脛部を覆うプロテクタとからなる足用保護カバーが提案されている。一体に形成されたカバー本体とプロテクタは樹脂ヒンジを介して連設されており、ベルト状の止着具で脛部から下側の下脚に装着されるよう構成されている。
【０００５】
【特許文献１】
実開昭５９−６１２２０号公報マイクロフィルム（実用新案登録請求の範囲、第４頁）
【特許文献２】
実開平６−７９４１４号公報（特許請求の範囲、図１）
【０００６】
【発明が解決しようとする課題】
しかしながら、前記実開昭５９−６１２２０号に係る切創等防止用脚絆では、縫い込まれた鎖と鎖の間が広いし鋼線も細くて隙間が多いので鋭利な草刈刃から身体を護るには不十分である一方、鎖と鎖の間を密にしようとすれば脚絆が重くなって作業負担が増加してしまう欠点があった。この点、実開平６−７９４１４号の足用保護カバーであれば足の甲部から脛部に至る下脚全体を保護できるが、樹脂製としたのでは近時の高性能な草刈刃には耐えられないし、ズボン生地を介して脛に当たる硬い樹脂板は必ずしも着用感がよいものではなかった。そこで、本発明者は、簡単に着用でき、軽量かつ脛部にフィットして装着感がよく、鋭利な草刈刃が激突しても着用者の脛部を護ることができる切創等防止用脚絆について検討することにした。
【０００７】
【課題を解決するための手段】
前記課題解決を図るため、本発明では、可撓性材料によりサイズ調節可能に形成されて着用者の脛部を覆うように使用される脚絆であって、袋状に形成された脚絆本体内部には２枚以上の金属板が並列状態で内装されてなる安全脚絆とした。例えば、前記実開昭５９−６１２２０号に開示されているような、布帛により縫製されて脛を覆いながら脚に巻きつけるように装着使用され、コハゼによりサイズ調節可能とされた従来の脚絆において、表裏２枚の布帛で形成した脚絆本体内部に２枚以上の金属板を内装することで、草刈刃の刃先の侵入防止を図ったのである。
【０００８】
ここで、金属板としては、０．６ｍｍ厚程度の薄いステンレス板を脛部相当の長さで細幅パネル状に形成したものが好適に用いられるが、隣り合う金属板同士の隙間を可能な限り少なくするために、平板状の金属板であれば細幅に形成した複数枚を密に並べて内装するのが望ましい。この場合、金属板が脚絆本体内で移動して偏らないように、金属板同士の間にて脚絆本体の表布と裏布を縫着しておくとよい。
【０００９】
また、金属板は、着用者の脛部など下脚の形に沿うように、横断面において湾曲形成されたものを用いると、その横幅を広くしても装着感を損なわずに脚絆内に入れる枚数を減らすことができる。また、隣り合う金属板同士をヒンジを介して連結して左右横方向に屈曲可能にすれば、隣り合う金属板同士の隙間を狭くすることができるし、金属板の偏り防止のための表布と裏布の縫着も不要となる。
【００１０】
さらに、金属板の全周縁を弾性材料により被覆しておけば、薄い金属板の端縁が脚絆本体に用いた布帛を破損することがないし、着用者の脛部への当たりも和らいで作業を妨げない良い装着感が得られる。
【００１１】
【発明の実施の形態】
以下、図面に基づいて本発明を詳細に説明する。図１は本発明に係る安全脚絆の一例を示す一部破断表面図であり、図２は同安全脚絆の裏面図である。図示された例の安全脚絆は、脚絆本体１が表布１ａと裏布１ｂの２枚の布帛を重ねて縫合されたものであって、表面右側において縦方向に略平行に４本設けられた掛糸２と、裏面右側端部において一列に設けられた複数個のコハゼ３を係合し、脚絆本体１の上下に一対ずつ、それぞれ一端側を縫着固定された紐４ａ、４ｂを結ぶことによって着用者の下脚に装着固定される。コハゼ３を係合する掛糸２を選択することより、下脚の太さに応じたサイズ調節が図られる。
【００１２】
図１に示されるように、袋状に形成された脚絆本体１の内部には、複数枚の金属板５が内装されている。本例の金属板５には細幅で長尺の板状材が用いられており、安全脚絆を装着した際に脛部を中心として下脚の両側までを覆うように、計８枚が並列状態で内装されている。隣り合う金属板５と金属板５の隙間部分において表布１ａと裏布１ｂとが縫目６によって縫着されているので、各金属板５は、表布１ａと裏布１ｂとを上下縁部と縫目６とで縫合することにより形成された縦方向に細長い小部屋内に収容された状態となっている結果、各金属板５は上下左右方向に移動せず、偏り防止が図られている。したがって、隣り合う金属板５同士の隙間は、縫目６のみが存在する程度にまで、できるだけ狭く設定するのが望ましい。
【００１３】
また、内装される金属板５には、脛部の前側に位置する部分には短いものを用いる一方、脛部の左右側面に至るにつれて長いものを用いることによって、金属板５が内装された部分の下方部分に略三角形状をした空白部分、すなわち表布１ａと裏布１ｂのみからなり金属板５が内装されていない空白部分１ｃを形成しておくとよい。この空白部分１ｃが存在することによって、安全脚絆を装着した際にも蒲鉾形に隆起している装着者の足の甲部に金属板５が当たらない一方、装着者の左右くるぶし付近までを金属板５で覆うことが可能となる。
【００１４】
各金属板５は、着用者の脛部の輪郭形状に沿うように、横断面において湾曲形成しておくとよい。とくに金属板５に広幅のものを用いる場合には、金属板５が湾曲形成されていることによって脛部の輪郭形状に沿いやすくなる。
【００１５】
図３は、ヒンジを介して連結した金属板の一例を示す斜視図である。本例の金属板５は、ともに湾曲形成された２枚一組の金属板５ａ，５ｂを上下方向３カ所のヒンジ７ａ，７ｂ，７ｃによって連結することにより形成されており、前記ヒンジ７ａ，７ｂ，７ｃを介して左右方向に屈曲可能となっている。したがって、湾曲した金属板５ａ，５ｂの曲率半径を太めの脛部に合わせて緩い曲線をなすように製作しておいても、ヒンジ７ａ，７ｂ，７ｃの存在によって金属板５ａ，５ｂの両側端が接近するように閉じながら金属板５ａ，５ｂによって形成される曲線を無段階に小さくすることができ、着用者の脛部の太さに応じてピッタリとフィットさせることができるのである。
【００１６】
なお、以上のようにヒンジ７ａ，７ｂ，７ｃを介して金属板５ａ，５ｂを連結した場合においても、ヒンジのある接合部分の下側は、着用者の足の甲部との接触を考慮して略三角形状に切り欠いておくとよい。
【００１７】
図３に示される金属板５もまた図１及び図２に示される安全脚絆と同様に、表裏２枚の布帛を重ねて周縁部を縫着された脚絆本体１に内装されることになる。このとき、着用者の脛部とのフィット感を高めるため、金属板５と表布１ａや裏布１ｂとの間には、中綿やフェルトを介在させるとよい。これら中綿やフェルトは、図１及び図２の安全脚絆の場合には縫目６によって固定され得るし、図３の金属板５を用いた安全脚絆の場合には表布１ａ又は裏布１ｂに対して縫着固定される。
【００１８】
本発明に係る安全脚絆では、金属板５の周縁部が足の甲部などに当接したり、継続使用することにより薄い金属板５が脚絆本体１の表布１ａや裏布１ｂを破損することを防止するべく、金属板５の全周縁を弾性材料により被覆するとよい。図３の金属板５は、ヒンジ７ａ，７ｂ，７ｃを介した連結部分を除いて全周縁を弾性材料８で被覆している。この弾性材料８としてはゴムが好適に用いられ、先の図３におけるＸ部分の部分拡大断面図である図４に示されるように、断面略コ字形の線条材によって金属板５の端部が被覆される。
【００１９】
【発明の効果】
本発明に係る安全脚絆は、複数枚の金属板を並列状態で脚絆本体に内装したので、着用者の下脚の太さにかかわらず脛部にぴたりとフィットし、脱着も簡単に行える。とくに、幅広の金属板を用いても脛部に沿うように横断面において湾曲形成したので、良好なフィット感が得られる。金属板は比較的薄くても草刈り刃の貫通を防止できるので、軽量でありながら草刈り刃の侵入を防止できる安全脚絆とすることができた。
【００２０】
また、金属板同士をヒンジで左右方向に連結して屈曲可能としておけば、隣り合う金属板の隙間を極力小さくすることができる結果、草刈り刃の侵入をより確実に防止できるし、金属板の全周囲をゴム等の弾性材料により被覆することで、金属板端縁が脚絆本体を破いたり、あるいはズボン等の上からでも着用者の脚部に当たって傷つけるといった事態を防止して、より良好に着用することができる。
【図面の簡単な説明】
【図１】本発明に係る安全脚絆の一例を示す一部破断表面図である。
【図２】図１の安全脚絆の裏面図である。
【図３】ヒンジを介して連結した金属板の一例を示す斜視図である。
【図４】図３におけるＸ部分の部分拡大断面図である。
【符号の説明】
１    脚絆本体
１ａ  表布
１ｂ  裏布
２    掛糸
３    コハゼ
４ａ，４ｂ  紐
５    金属板
６    縫目
７ａ，７ｂ，７ｃ    ヒンジ
８    弾性材料
【図１】
2004162200.tif 000003
【図２】
2004162200.tif 000004
【図３】
2004162200.tif 000005
【図４】
2004162200.tif 000006